(57)【要約】【課題】各パネルのヒンジ連結を簡単に行うことができ、生産効率の向上を図れるヒンジ装置および開閉ホルダを提供すること。【解決手段】ヒンジ装置１０は、第一基体４０と、第一基体４０に対して第一方向に対向して配置される第二基体５０と、第一基体４０の周りに第二基体５０を回動可能に連結する紐状連結体６０とを備える。紐状連結体６０は、第一基体４０と第二基体５０との間に配置される第一紐状部６３および第二紐状部６４を有する。第一紐状部６３は、第一方向に直交する第二方向における一方側に位置する第一基体第一部分と第二方向における他方側に位置する第二基体第一部分とにわたって配置される。第二紐状部６４は、第二方向における他方側に位置する第一基体第二部分と第二方向における一方側に位置する第二基体第二部分とにわたって配置される。【選択図】図３
2017074308.tif 000002
【特許請求の範囲】
【請求項１】
第一基体と、
前記第一基体に対して第一方向に対向して配置される第二基体と、
前記第二基体を前記第一基体の周りに回動可能に連結する紐状連結体とを備え、
前記紐状連結体は、前記第一基体と前記第二基体との間に配置される第一紐状部および第二紐状部を有し、
前記第二基体が回動する回動軸の軸方向と前記第一方向とにそれぞれ直交する方向を第二方向とし、
前記第一紐状部は、前記第一基体のうち前記第二方向における一方側に位置する第一基体第一部分と前記第二基体のうち前記第二方向における他方側に位置する第二基体第一部分とにわたって配置され、
前記第二紐状部は、前記第一基体のうち前記第二方向における他方側に位置する第一基体第二部分と前記第二基体のうち前記第二方向における一方側に位置する第二基体第二部分とにわたって配置される
ことを特徴とするヒンジ装置。
【請求項２】
請求項１に記載のヒンジ装置において、
前記紐状連結体は、前記第一基体第一部分、前記第二基体第一部分、前記第一基体第二部分および前記第二基体第二部分を通って前記第一基体および前記第二基体に巻きまわされる
ことを特徴とするヒンジ装置。
【請求項３】
請求項１または請求項２に記載のヒンジ装置において、
前記紐状連結体は、少なくとも二つ設けられており、
前記紐状連結体同士は、前記軸方向に所定間隔隔てて配置される
ことを特徴とするヒンジ装置。
【請求項４】
請求項１から請求項３のいずれか一項に記載のヒンジ装置において、
前記紐状連結体は短冊状に形成される
ことを特徴とするヒンジ装置。
【請求項５】
第一パネルと、第二パネルと、請求項１から請求項４のいずれか一項に記載のヒンジ装置とを備え、
前記ヒンジ装置の第一基体は、前記第一パネルに取り付けられ、
前記ヒンジ装置の第二基体は、前記第二パネルに取り付けられる
ことを特徴とする開閉ホルダ。
【請求項６】
請求項５に記載の開閉ホルダにおいて、
前記ヒンジ装置の紐状連結体は、前記第一基体および前記第二基体に巻きまわされており、
前記第一パネルおよび前記第一基体のうちの少なくとも一方には、前記紐状連結体が配置される第一凹部が形成され、
前記第一凹部は、前記第一基体が前記第一パネルに取り付けられる部分に配置され、
前記第二パネルおよび前記第二基体のうちの少なくとも一方には、前記紐状連結体が配置される第二凹部が形成され、
前記第二凹部は、前記第二基体が前記第二パネルに取り付けられる部分に配置される
ことを特徴とする開閉ホルダ。
【請求項７】
請求項５または請求項６に記載の開閉ホルダにおいて、
前記第一パネルの厚さ方向における前記第一基体の寸法は、当該第一パネルの厚さ寸法以上の寸法とされ、
前記第二パネルの厚さ方向における前記第二基体の寸法は、当該第二パネルの厚さ寸法以上の寸法とされる
ことを特徴とする開閉ホルダ。
【発明の詳細な説明】
【技術分野】
【０００１】
本発明は、写真立て、メダル・バッジ等の小物ホルダなどに利用可能なヒンジ装置および開閉ホルダに関する。
【背景技術】
【０００２】
従来、写真を収納する開閉ホルダの一つとして、開閉可能な写真立てが知られている（特許文献１参照）。写真立ては、複数枚のパネルと、ヒンジとを備えており、複数枚のパネルのうちの少なくとも一つには写真収納部が設けられている。写真立ては、各パネルの側部に孔明けし、各孔に折り曲げ可能なヒンジの取付部を挿通することで、各パネル同士が回動可能に連結されている。
この写真立ては、各パネル同士を回動して所定角度をもって配置することで、テーブル上などに立設できる。
【先行技術文献】
【特許文献】
【０００３】
【特許文献１】登録実用新案第３０１１４５２号公報
【発明の概要】
【発明が解決しようとする課題】
【０００４】
ところで、特許文献１に記載の写真立てでは、各パネルの側部に孔明けする作業と、当該側部の孔にヒンジの取付部を挿通する作業とを行うことで、各パネルをヒンジによって連結している。このように二つの作業を要するため、各パネルのヒンジ連結に手間がかかり、生産効率の向上を図り難い。
【０００５】
本発明の目的は、各パネルのヒンジ連結を簡単に行うことができ、生産効率の向上を図れるヒンジ装置および開閉ホルダを提供することにある。
【課題を解決するための手段】
【０００６】
本発明のヒンジ装置は、第一基体と、前記第一基体に対して第一方向に対向して配置される第二基体と、前記第二基体を前記第一基体の周りに回動可能に連結する紐状連結体とを備え、前記紐状連結体は、前記第一基体と前記第二基体との間に配置される第一紐状部および第二紐状部を有し、前記第二基体が回動する回動軸の軸方向と前記第一方向とにそれぞれ直交する方向を第二方向とし、前記第一紐状部は、前記第一基体のうち前記第二方向における一方側に位置する第一基体第一部分と前記第二基体のうち前記第二方向における他方側に位置する第二基体第一部分とにわたって配置され、前記第二紐状部は、前記第一基体のうち前記第二方向における他方側に位置する第一基体第二部分と前記第二基体のうち前記第二方向における一方側に位置する第二基体第二部分とにわたって配置されることを特徴とする。
【０００７】
本発明のヒンジ装置によれば、紐状連結体によって第一基体と第二基体とを連結することによってヒンジ装置を準備できる。このため、準備したヒンジ装置の第一基体と第二基体とを、各パネルに取り付けるだけでよく、当該各パネルに孔明けする手間がないので後述する開閉ホルダを簡単に組み立てることができる。
また、第一紐状部が、第一基体第一部分と第二基体第一部分とにわたって配置され、且つ、第二紐状部が、第一基体第二部分と第二基体第二部分とにわたって配置される。これにより、第二基体の第一基体に対する回動軸を第二方向における一方側と他方側とに移行でき、第一基体と第二基体とを相対的に回動動作できる。
【０００８】
本発明のヒンジ装置では、前記紐状連結体は、前記第一基体第一部分、前記第二基体第一部分、前記第一基体第二部分および前記第二基体第二部分を通って前記第一基体および前記第二基体に巻きまわされることが好ましい。
このような構成によれば、第一基体と第二基体とに紐状連結体を巻きまわすだけでヒンジ装置を構成できる。このため、例えば、第一紐状部と第二紐状部とを形成する紐が別個の部材であり、各紐を別々に第一基体と第二基体とに取り付けて当該第一基体と第二基体とを連結する作業を要する場合と比べ、紐状連結体を巻きまわすことによって簡単に連結作業を行うことができる。
また、第二基体の回動軸を第一基体の周りに沿って移行でき、ヒンジ装置の回動角を、回動軸が一定の位置に定められる一般的な蝶番の回動角と比べ、大きく設定できる。
【０００９】
本発明のヒンジ装置では、前記紐状連結体は、少なくとも二つ設けられており、前記紐状連結体同士は、前記軸方向に所定間隔隔てて配置されることが好ましい。
このような構成によれば、少なくとも二つの紐状連結体を所定間隔隔てて配置することで、第一基体と第二基体とにある程度の遊びがある場合でも、第二基体の第一基体に対する捩れ動きを効果的に抑制できる。
【００１０】
本発明のヒンジ装置では、前記紐状連結体は短冊状に形成されることが好ましい。
このような構成によれば、紐状連結体の引張強度を維持しつつ紐状連結体の厚さ寸法を小さくできる。
なお、紐状連結体としては、例えば短冊状に編み込まれた紐を用いることができるほか、和紙やリボンなどを用いることができる。
【００１１】
本発明の開閉ホルダは、第一パネルと、第二パネルと、前述した本発明のヒンジ装置とを備え、前記ヒンジ装置の第一基体は、前記第一パネルに取り付けられ、前記ヒンジ装置の第二基体は、前記第二パネルに取り付けられることを特徴とする。
【００１２】
本発明の開閉ホルダによれば、前述した本発明のヒンジ装置の作用効果を発揮できる開閉ホルダを構成できる。
【００１３】
本発明の開閉ホルダでは、前記ヒンジ装置の紐状連結体は、前記第一基体および前記第二基体に巻きまわされており、前記第一パネルおよび前記第一基体のうちの少なくとも一方には、前記紐状連結体が配置される第一凹部が形成され、前記第一凹部は、前記第一基体が前記第一パネルに取り付けられる部分に配置され、前記第二パネルおよび前記第二基体のうちの少なくとも一方には、前記紐状連結体が配置される第二凹部が形成され、前記第二凹部は、前記第二基体が前記第二パネルに取り付けられる部分に配置されることが好ましい。
このような構成によれば、第一凹部および第二凹部に紐状連結体を納められる。このため、第一基体と第二基体とに巻きまわした紐状連結体が、第一基体の第一パネルへの取付部分と、第二基体の第二パネルへの取付部分とに干渉することなく、取付作業を簡単に行うことができる。
【００１４】
本発明の開閉ホルダでは、前記第一パネルの厚さ方向における前記第一基体の寸法は、当該第一パネルの厚さ寸法以上の寸法とされ、前記第二パネルの厚さ方向における前記第二基体の寸法は、当該第二パネルの厚さ寸法以上の寸法とされることが好ましい。
このような構成によれば、第一基体と第二基体との遊びを小さくしても、第二基体の第一基体に対する回動において第一パネルが第二パネルに干渉することを抑制でき、開閉ホルダの開閉を円滑に行うことができる。
【発明の効果】
【００１５】
本発明によれば、各パネルのヒンジ連結を簡単に行うことができ、生産効率の向上を図れるヒンジ装置および開閉ホルダを提供できる。
【図面の簡単な説明】
【００１６】
【図１】本実施形態に係る開閉ホルダを示す斜視図。
【図２】前記実施形態に係る開閉ホルダを示す斜視図。
【図３】前記実施形態に係る開閉ホルダを示す説明図。
【図４】前記実施形態に係る開閉ホルダの動作を示す斜視図。
【図５】前記実施形態に係る開閉ホルダのヒンジ装置の動作を示す平面図。
【図６】前記実施形態に係る開閉ホルダのヒンジ装置の動作を示す平面図。
【図７】前記実施形態に係る開閉ホルダの動作を示す斜視図。
【図８】本実施形態の変形例を示す斜視図。
【発明を実施するための形態】
【００１７】
［本実施形態の構成］
以下、本発明の実施形態を図面に基づいて説明する。
図１、図２において、本実施形態に係る開閉ホルダ１は、写真立てとして用いられるものであり、パネル２，３と、パネル２，３を回動可能に連結するヒンジ装置１０とを備える。
【００１８】
パネル２（第一パネル）は、板状のパネル本体２１と、上下二つの凹部２３（第一凹部）とを備える。パネル本体２１は、図１〜図３（Ａ）に示すように、表裏一対の矩形状の第一面２４および第二面２５、上側面２６、下側面２７および縦側面２８，２９（側面）を有する。本実施形態では、写真５を保持する袋状の透明なホルダなどが第一面２４に装着される。上下二つの凹部２３は、パネル本体２１の縦側面２８に形成されている。各凹部２３には、後述する紐状連結体６０がそれぞれ配置される。
【００１９】
パネル３（第二パネル）は、パネル２と同様に形成される。具体的には、パネル３は、板状のパネル本体３１と、上下二つの凹部３３（第二凹部）とを備える。パネル本体３１は、図１〜図３（Ａ）に示すように、表裏一対の矩形状の第一面３４および第二面３５、上側面３６、下側面３７および縦側面３８，３９（側面）を有する。上下二つの凹部３３は、パネル本体３１の縦側面３８に形成されている。各凹部３３には、紐状連結体６０がそれぞれ配置される。
【００２０】
パネル本体２１，３１は、木製、樹脂製、金属製でもよく、種々の材料が適用可能である。また、本実施形態では、パネル本体２１，３１は、高さ寸法、幅寸法および厚さ寸法がそれぞれ同じ寸法とされるが、これに限定されず、各寸法は適宜設定可能である。
【００２１】
ヒンジ装置１０は、図１〜図３に示すように、パネル２に取り付けられる第一基体４０と、パネル３に取り付けられる第二基体５０と、第一基体４０と第二基体５０とを回動可能に連結する紐状連結体６０（６０Ａ，６０Ｂ）とを備える。
【００２２】
第一基体４０は、図３（Ａ）に示すように棒状に形成されており、パネル２の縦側面２８の長手方向に沿って配置される。第一基体４０は、図３(Ｂ)に示すように断面矩形状に形成されており、四つの角部Ａ１〜Ａ４を有している。
【００２３】
角部Ａ１，Ａ２間には側面４１があり、角部Ａ２，Ａ３間には側面４２があり、角部Ａ３，Ａ４間には側面４３があり、そして、角部Ａ４，Ａ１間には側面４４がある。側面４２は、パネル本体２１の縦側面２８に接着される取付面として構成される。
【００２４】
第一基体４０の長さ寸法は、パネル２の高さ寸法と同じ寸法とされる。第一基体４０の側面４１，４３の幅寸法は、側面４２，４４の幅寸法よりも小さい寸法とされる。第一基体４０の側面４２，４４の幅寸法は、パネル２の厚さ寸法と同じ寸法とされる。なお、当該幅寸法は、パネル２の厚さ寸法よりも大きい寸法とされてもよい。
【００２５】
第二基体５０は、第一基体４０と同様に形成される。具体的には、第二基体５０は、図３(Ａ)に示すように棒状に形成されており、パネル３の縦側面３８の長手方向に沿って配置される。第二基体５０は、図３(Ｂ)に示すように断面矩形状に形成されており、四つの角部Ｂ１〜Ｂ４を有している。
【００２６】
角部Ｂ１，Ｂ２間には側面５１があり、角部Ｂ２，Ｂ３間には側面５２があり、角部Ｂ３，Ｂ４間には側面５３があり、そして、角部Ｂ４，Ｂ１間には側面５４がある。側面５２は、パネル本体３１の縦側面３８に接着される取付面として構成される。
【００２７】
第二基体５０の長さ寸法は、パネル３の高さ寸法と同じ寸法とされる。第二基体５０の側面５１，５３の幅寸法は、側面５２，５４の幅寸法よりも小さい寸法とされる。第二基体５０の側面５２，５４の幅寸法は、パネル３の厚さ寸法と同じ寸法とされる。なお、当該幅寸法は、パネル２の厚さ寸法よりも大きい寸法とされてもよい。この第二基体５０の各寸法は、第一基体４０の各寸法と同じ寸法とされる。
【００２８】
第一基体４０と第二基体５０とは、これらの回動軸９１（図４参照）の軸方向に直交する第一方向９２に対向して配置される。この配置状態で、第一基体４０と第二基体５０とに紐状連結体６０が巻きまわされて相互に回動可能に連結される。
【００２９】
紐状連結体６０（６０Ａ，６０Ｂ）は、本実施形態では短冊状に編み込まれた紐によってそれぞれ構成される。
紐状連結体６０Ａ，６０Ｂは、回動軸９１の軸方向において互いに所定間隔を隔てて配置される。紐状連結体６０Ａは、第一基体４０および第二基体５０の上端側部分に八の字状に巻きまわされており、パネル２，３の上側の凹部２３，３３に配置される。紐状連結体６０Ｂは、第一基体４０および第二基体５０の下端側部分に八の字状に巻きまわされており、パネル２，３の下側の凹部２３，３３に配置される。
【００３０】
紐状連結体６０Ａは、図３(Ｂ)に示すように、その一端部６１が第二基体５０の側面５２に接着等によって取り付けられる。そして、紐状連結体６０Ａは、一端部６１から角部Ｂ３，Ｂ４，Ａ１，Ａ２，Ａ３，Ａ４，Ｂ１，Ｂ２の順に第一基体４０および第二基体５０に八の字状に二周巻きまわされ、他端部６２（図３(Ａ)参照）が第二基体５０の側面５２に接着等によって取り付けられる。他端部６２は一端部６１よりも下方に位置する。
紐状連結体６０Ａは、前述したように第一基体４０および第二基体５０に巻きまわされ、第一基体４０と第二基体５０との間に配置される第一紐状部６３および第二紐状部６４を有する。第一紐状部６３と第二紐状部６４とは平面視において交差する。
紐状連結体６０Ｂは、紐状連結体６０Ａと同様に形成され、紐状連結体６０Ａと同様に第一基体４０および第二基体５０に巻きまわされるので、図に同符号を適宜付して詳細な説明を省略する。
【００３１】
以上の開閉ホルダ１は、次の手順で組み立てられる。先ず、前述したように紐状連結体６０を第一基体４０および第二基体５０に巻きまわしてヒンジ装置１０を構成する。第一基体４０と第二基体５０との間には、少なくとも紐状連結体６０の厚み分の遊び（ゆとり）が生じる。ヒンジ装置１０は、一つのユニットとして構成されるので、開閉ホルダ１全体の組立て前に準備しておくことが可能である。
次に、第一基体４０の側面４２をパネル２の縦側面２８に接着し、第二基体５０の側面５２をパネル３の縦側面３８に接着する。
このように、パネル２，３に孔明け加工などを施すことなく開閉ホルダ１を簡単に組み立てられる。
【００３２】
［本実施形態の動作］
以下、本実施形態に係る開閉ホルダ１の動作について図４〜図７を参照して説明する。
図４は開閉ホルダ１を閉じた状態を示し、写真５を保持する側のパネル２の第一面２４はパネル３の第一面３４と対向して配置される。図５、図６は開閉ホルダ１の開き動作を示す。図７は、開閉ホルダ１を開いた状態（全開状態）を示し、パネル２の第二面２５とパネル３の第二面３５とが対向して配置され、写真５を保持する側のパネル２の第一面２４は外側にあらわれる。
【００３３】
まず、図４に示すように閉じた状態の開閉ホルダ１のパネル３を、回動軸９１を中心としてＲ１方向に回動する。このとき、ヒンジ装置１０の第二基体５０は第一基体４０の周りに沿って図５、図６示すようにＲ１方向に回動する。具体的には次の通りである。
【００３４】
図５（Ａ）に示す状態では、第一基体４０の側面４３と第二基体５０の側面５３とが第一方向９２において対向している。紐状連結体６０のうち側面４３，５３間に位置する部分は第一紐状部６３と第二紐状部６４とを構成している。
【００３５】
このとき、第一紐状部６３は角部Ａ４と角部Ｂ３とにわたって配置されており、第二紐状部６４は角部Ａ３と角部Ｂ４とにわたって配置されている。第一紐状部６３と第二紐状部６４との交差位置は、角部Ａ３，Ｂ３と角部Ａ４，Ｂ４との第二方向９３における中間位置にある。
図５（Ａ）に示す状態では、第一基体４０の角部Ａ４は、第一方向９２および前述した軸方向に直交する第二方向９３における一方側に位置する第一基体第一部分となり、第二基体５０の角部Ｂ３は、第二方向９３における他方側に位置する第二基体第一部分となる。また、第一基体４０の角部Ａ３は、第二方向９３における他方側に位置する第一基体第二部分となり、第二基体５０の角部Ｂ４は、第二方向９３における一方側に位置する第二基体第二部分となる。
【００３６】
図５（Ａ）に示す状態において、第二基体５０が第一基体４０に対してＲ１方向に９０度回動すると、図５（Ｂ）に示すように、角部Ｂ３は角部Ａ３から離れていき、パネル３はパネル２に対して９０度の回動角をもって配置される。
このとき、第一紐状部６３と第二紐状部６４との交差位置は、図５（Ａ）に示す位置から図５（Ｂ）に示す角部Ａ４，Ｂ４側の位置に移行し、また、回動軸９１の位置は角部Ａ４，Ｂ４が隣りあう位置となる。
【００３７】
図５（Ｂ）に示す状態において、第二基体５０が第一基体４０に対してＲ１方向にさらに９０度回動すると、図５（Ｃ）に示すように、角部Ｂ１は角部Ａ１に接近し、パネル３はパネル２に対して１８０度の回動角をもって配置される。
このとき、第一紐状部６３と第二紐状部６４との交差位置は、図５（Ｂ）に示す位置から角部Ａ１，Ｂ１と角部Ａ４，Ｂ４との第二方向９３における中間位置に移行する。また、図５（Ｃ）に示す状態では、パネル２の側面４４とパネル３の側面５４とが第一方向９２において対向している。紐状連結体６０のうち側面４４，５４間に位置する部分は第一紐状部６３と第二紐状部６４とを構成している。第一紐状部６３は、角部Ａ１と角部Ｂ４とにわたって配置されており、第二紐状部６４は角部Ａ４と角部Ｂ１とにわたって配置されている。
図５（Ｃ）に示す状態では、第一基体４０の角部Ａ１が前記第一基体第一部分となり、第二基体５０の角部Ｂ４が前記第二基体第一部分となる、また、第一基体４０の角部Ａ４が第一基体第二部分となり、第二基体５０の角部Ｂ４が第二基体第二部分となる。
【００３８】
図５（Ｃ）、図６（Ａ）に示す状態において、第二基体５０が第一基体４０に対してＲ１方向にさらに９０度回動すると、図６（Ｂ）に示すように、角部Ｂ４は角部Ａ４から離れていき、パネル３はパネル２に対して２７０度の回動角をもって配置される。
このとき、第一紐状部６３と第二紐状部６４との交差位置は、図６（Ａ）に示す位置から図６（Ｂ）に示す角部Ａ１，Ｂ１側の位置に移行し、また、回動軸９１の位置は角部Ａ１，Ｂ１が隣りあう位置となる。
【００３９】
図６（Ｂ）に示す状態において、第二基体５０が第一基体４０に対してＲ１方向にさらに９０度回動すると、図６（Ｃ）に示すように、角部Ｂ２は角部Ａ２に接近し、パネル３はパネル２に対して３６０度の回動角をもって配置される。
このとき、第一紐状部６３と第二紐状部６４との交差位置は、図６（Ｂ）に示す位置から角部Ａ１，Ａ２と角部Ｂ１，Ｂ２との第二方向９３における中間位置に移行する。また、図６（Ｃ）に示す状態では、パネル２の側面４１とパネル３の側面５１とが第一方向９２において対向している。紐状連結体６０のうち側面４１，５１間に位置する部分は第一紐状部６３と第二紐状部６４とを構成している。第一紐状部６３は、角部Ａ２と角部Ｂ１とにわたって配置されており、第二紐状部６４は角部Ａ１と角部Ｂ２とにわたって配置されている。
図６（Ｃ）に示す状態では、第一基体４０の角部Ａ２が前記第一基体第一部分となり、第二基体５０の角部Ｂ１が前記第二基体第一部分となる、また、第一基体４０の角部Ａ１が第一基体第二部分となり、第二基体５０の角部Ｂ２が第二基体第二部分となる。
このように、開閉ホルダ１を開いて、図４に示す閉じた状態から図７に示す開いた状態とする。開閉ホルダ１を所定角度開いた状態では、開閉ホルダ１をテーブル上などに立設でき、パネル２に保持した写真５を展示することが可能である。
【００４０】
また、開閉ホルダ１を閉じる場合には、図７に示すＲ２方向にパネル３を回動し、図６（Ｂ）の状態、図６（Ａ）および図５（Ｃ）の状態、図５（Ｂ）の状態を経て、図７に示す開いた状態から図４に示す閉じた状態にする。
なお、パネル２，３の回動は相対的である。前述した動作説明では、パネル３をパネル２に対して回動させることとしたが、パネル２をパネル３に対して回動させることにもできる。
【００４１】
［本実施形態の効果］
（１）本実施形態では、ヒンジ装置１０は、第一基体４０と、第一基体４０に対して第一方向９２に対向して配置される第二基体５０と、第二基体５０を第一基体４０の周りに回動可能に連結する紐状連結体６０とを備え、紐状連結体６０は、第一基体４０と第二基体５０との間に配置される第一紐状部６３および第二紐状部６４を有し、第一紐状部６３は、第一基体４０のうち第二方向９３における一方側に位置する第一基体第一部分と第二基体５０のうち第二方向９３における他方側に位置する第二基体第一部分とにわたって配置され、第二紐状部６４は、第一基体４０のうち第二方向９３における他方側に位置する第一基体第二部分と第二基体５０のうち第二方向９３における一方側に位置する第二基体第二部分とにわたって配置されることを特徴とする。
上記構成を有するため、紐状連結体６０で第一基体４０と第二基体５０とを連結することによってヒンジ装置１０を準備できる。このため、準備したヒンジ装置１０の第一基体４０と第二基体５０とを、各パネル２，３に取り付けるだけでよく、当該各パネル２，３に孔明けする手間がないので開閉ホルダ１を簡単に組み立てることができる。
また、第一紐状部６３が、前記第一基体第一部分と前記第二基体第一部分とにわたって配置され、且つ、第二紐状部６４が、前記第一基体第二部分と前記第二基体第二部分とにわたって配置される。これにより、第二基体５０の第一基体４０に対する回動軸９１を第二方向９３における一方側と他方側とに移行でき、第一基体４０と第二基体５０とを相対的に回動動作できる。
【００４２】
（２）紐状連結体６０は、前記第一基体第一部分、前記第二基体第一部分、前記第一基体第二部分および前記第二基体第二部分を通って第一基体４０および第二基体５０に巻きまわされる。このため、第一基体４０と第二基体５０とに紐状連結体６０を巻きまわすだけでヒンジ装置１０を簡単に構成できる。このため、例えば、第一紐状部６３と第二紐状部６４とを形成する紐が別個の部材であり、各紐を別々に第一基体４０と第二基体５０とに取り付けて当該第一基体４０と第二基体５０とを連結する作業を要する場合と比べ、紐状連結体６０を巻きまわすことによって簡単に連結作業を行うことができる。
また、第二基体５０の回動軸９１を第一基体４０の周りに沿ってＲ１方向およびＲ２方向に移行できる。このため、ヒンジ装置１０の回動角を、回動軸が一定の位置に定められる一般的な蝶番の回動角と比べ、３６０度にまで大きく設定できる。
【００４３】
（３）紐状連結体６０として、二つの紐状連結体６０Ａ，６０Ｂが設けられており、紐状連結体６０Ａ，６０Ｂ同士は、第一基体４０および第二基体５０の軸方向に所定間隔隔てて配置される。このため、第一基体４０と第二基体５０とにある程度の遊びがある場合でも、第二基体５０の第一基体４０に対する捩れ動きを効果的に抑制できる。
【００４４】
（４）紐状連結体６０は短冊状にそれぞれ形成されるため、紐状連結体６０の引張強度を維持しつつ紐状連結体６０の厚さ寸法を小さくできる。
また、本実施形態では、紐状連結体６０は短冊状に編み込まれた紐によって形成されるため、前述した作用効果を発揮できる。そのうえ、紐状連結体６０自体にある程度の伸縮性をもたせられる。このため、例えば、紐状連結体６０を第一基体４０および第二基体５０にきつく巻きつけて、第一基体４０と第二基体５０との間の遊びを小さくした場合であっても、紐状連結体６０自体に伸縮が生じることで、開閉ホルダ１の開閉動作を円滑に行うことができる。
【００４５】
（５）パネル２には紐状連結体６０が配置される凹部２３が形成され、パネル３には紐状連結体６０が配置される凹部３３が形成される。そして、凹部２３は、パネル２の縦側面２８に取り付けられる第一基体４０の側面４２に配置され、凹部３３は、パネル３の縦側面３８に取り付けられる第二基体５０の側面５２に配置される。このため、凹部２３，３３に紐状連結体６０を納めることができ、第一基体４０と第二基体５０とに巻きまわした紐状連結体６０が、第一基体４０のパネル２への取付部分と、第二基体５０のパネル３への取付部分とに干渉することなく、取付作業を簡単に行うことができる。
【００４６】
（６）パネル２の厚さ方向における第一基体４０の寸法（幅寸法）は、当該パネル２の厚さ寸法以上の寸法とされ、パネル３の厚さ方向における第二基体５０の寸法（幅寸法）は、当該パネル３の厚さ寸法以上の寸法とされる。このため、第一基体４０と第二基体５０との遊びを小さくしても、第二基体５０の第一基体４０に対する回動においてパネル２，３同士が干渉することを抑制でき、開閉ホルダ１の開閉を円滑に行うことができる。
なお、図３、図５、図６では、説明の便宜上、第一基体４０と第二基体５０との遊びを大きく示している。
【００４７】
［変形例］
本発明は、以上の実施形態で説明した構成のものに限定されず、本発明の目的を達成できる範囲での変形例は、本発明に含まれる。
例えば、前記実施形態では、一つのヒンジ装置１０において二枚のパネル２，３を連結して開閉ホルダ１を構成するが、これに限定されない。例えば図８に示すように、前述した開閉ホルダ１の構成に加えて、ヒンジ装置１０Ａとパネル４とを備えてもよい。ヒンジ装置１０Ａはヒンジ装置１０と同様に形成され、パネル３，４を回動可能に連結する。ここで、パネル３，４との関係においては、パネル３が第一パネルとして構成され、パネル４が第二パネルとして構成される。この場合、パネル４には凹部２３が形成され、パネル３の縦側面３９には上下二つの凹部３３が形成されてもよい。また、写真５は、パネル２の第一面２４のほか、パネル３の第一面３４や第二面３５に保持されてもよく、また、追加したパネル４の第一面や第二面に保持されてもよい。
【００４８】
また、ヒンジ装置１０と概略同様に形成されたヒンジ装置によってパネル２，３の上側面２６や下側面２７を追加のパネルに回動可能に連結してもよい。
【００４９】
前記実施形態では、紐状連結体６０は、第一基体４０と第二基体５０とに八の字状に巻きまわされているが、これに限定されず、第一紐状部６３と第二紐状部６４とを有していれば巻きまわされるほどに長く形成されていなくてもよく、ヒンジ装置１０の最大回動角の設定に対応して長さ設定されてもよい。
【００５０】
前記実施形態では、二つの紐状連結体６０Ａ，６０Ｂを備えているが、これに限定されず、例えば、三つ以上の紐状連結体６０を備えていてもよく、また、一つの紐状連結体６０だけを備えていてもよい。
【００５１】
前記実施形態では、紐状連結体６０は、第一基体４０と第二基体５０とに二周巻きまわされているが、これに限定されず、一周だけ巻きまわされていてもよく、また三周以上巻きまわされていてもよい。
【００５２】
前記実施形態では、紐状連結体６０Ａ，６０Ｂは所定間隔隔てて配置されるが、これに限定されず、互いに隣接配置されてもよい。この場合、紐状連結体６０Ａ，６０Ｂの巻き数や軸方向寸法は適宜調整されてもよい。
【００５３】
前記実施形態では、紐状連結体６０は、短冊状に形成されるが、これに限定されず、丸紐状であってもよく、その他種々形状であってもよい。
また、紐状連結体６０は、網み込まれた紐によって構成されるが、このほか、和紙等の紙やリボンなどによって構成されてもよい。なお、和紙などの厚み寸法が小さいものを紐状連結体６０として採用した場合には、第一基体４０と第二基体５０との間に適度な遊び（ゆとり）が形成されるように、紐状連結体６０を第一基体４０と第二基体５０とに緩く巻きまわしてもよい。これにより、開閉ホルダ１の開閉を、より円滑に行うことができる。
【００５４】
前記実施形態では、凹部２３はパネル２に形成されているが、これに代えてまたは加えて、第一基体４０の側面４２に形成されてもよい。または、凹部３３は、パネル３に形成されているが、これに代えてまたは加えて、第二基体５０の側面５２に形成されてもよい。
【００５５】
前記実施形態では、第一基体４０の幅寸法は、パネル２の厚さ寸法以上の寸法とされるが、これに限定されず、パネル２の厚さ寸法よりも小さい寸法とされてもよい。また、第二基体５０の幅寸法は、パネル２の厚さ寸法以上の寸法とされるが、これに限定されず、パネルの厚さ寸法よりも小さい寸法とされてもよい。
【００５６】
前記実施形態では、第一基体４０および第二基体５０は、断面矩形状に形成されるが、これに限定されず、断面三角形状、断面六角形状などの断面多角形状に形成されてもよく、また、断面略円形状、断面略半円形状に形成されてもよい。
【００５７】
前記実施形態では、パネル２に取り付けられる第一基体４０は一つとしたが、これに限定されず、例えば、二つ以上の第一基体４０を直列配置してパネル２に取り付けてもよい。また、パネル３に取り付けられる第二基体５０を一つとしたが、これに限定されず、例えば、二つ以上の第二基体５０を直列配置してパネル３に取り付けてもよい。
【００５８】
前記実施形態では、図５（Ａ）に示す状態で、第一紐状部６３を構成する部分は側面５３に非接着であり、第二紐状部６４を構成する部分は側面４３に非接着であるが、これに限られず、第一紐状部６３を構成する部分は側面５３に接着され、第二紐状部６４を構成する部分は側面５３に接着されていてもよい。
また、図６（Ｃ）に示す状態で、第一紐状部６３を構成する部分は側面４１に非接着であり、第二紐状部６４を構成する部分は側面５１に非接着であるが、これに限られず、第一紐状部６３を構成する部分は側面４１に接着され、第二紐状部６４を構成する部分は側面５１に接着されていてもよい。
【００５９】
前記実施形態では、開閉ホルダ１を、写真５を保持するホルダとして説明したが、このほかにも、パネル２，３，４の少なくとも一つに収納用凹部を形成してメダルやバッジなどの小物を保持可能に構成してもよい。
【産業上の利用可能性】
【００６０】
本発明は、開閉可能な写真立てや小物ホルダとして利用できる。
【符号の説明】
【００６１】
１…開閉ホルダ、１０，１０Ａ…ヒンジ装置、２〜４…パネル、２１，３１…パネル本体、２３，３３…凹部、２４，３４…第一面、２５，３５…第二面、２６，３６…上側面、２７，３７…下側面、２８，２９，３８，３９…縦側面、４０…第一基体、４１〜４４，５１〜５４…側面、５…写真、５０…第二基体、６０（６０Ａ，６０Ｂ）…紐状連結体、６１…一端部、６２…他端部、６３…第一紐状部、６４…第二紐状部、９１…回動軸、９２…第一方向、９３…第二方向、Ａ１〜Ａ４，Ｂ１〜Ｂ４…角部。
【図１】
2017074308.tif 000003
【図２】
2017074308.tif 000004
【図３】
2017074308.tif 000005
【図４】
2017074308.tif 000006
【図５】
2017074308.tif 000007
【図６】
2017074308.tif 000008
【図７】
2017074308.tif 000009
【図８】
2017074308.tif 000010